(57)【要約】【課題】設置安定性があり、ＶＨＳレンタルシステムと全く同様のシステムでレンタルできるようにした。【解決手段】両側板１２、前面板１４及び背面板１６を備え、かつソフト内容が印刷されたラベルシート２８を表面に貼付した上部開口の箱形をなすＤＶＤソフト展示用パッケージ１０であって、パッケージ１０の内部に複数の隔壁１８を設け、これにより区画される複数のＤＶＤケース２２の収容部２０を平行に設け、各収容部２０に収容されるＤＶＤケース２２の上部が前記パッケージ１０の上面開口より突出すべく並列配置した。【選択図】      図１
2004161357.tif 000002
【特許請求の範囲】
【請求項１】
両側板、前面板及び背面板を備え、かつソフト内容が印刷されたラベルシートを表面に配した上部開口の箱形をなすＤＶＤソフト展示用パッケージであって、
該パッケージの内部に複数の隔壁を設け、これにより区画される複数のＤＶＤケースの収容部を形成し、各収容部は、該収容部に収容されるＤＶＤケースの上部が前記パッケージの上面開口より突出すべく並列配置可能となっていることを特徴とするレンタルビデオ店におけるＤＶＤソフト展示用パッケージ。
【請求項２】
前記隔壁が２つであり、３つの収容空間に仕切ることで、３枚のＤＶＤケースを並列して収容できるようにしたことを特徴とする請求項１に記載のレンタルビデオ店におけるＤＶＤソフト展示用パッケージ。
【請求項３】
前記パッケージの高さ寸法をビデオカセットテープとほぼ同一高さとし、パッケージ内部に棚部を設けてＤＶＤケースの底部を支持したことを特徴とする請求項１または２に記載のレンタルビデオ店におけるＤＶＤソフト展示用パッケージ。
【請求項４】
前記複数のＤＶＤケースのパッケージの上部開口からの突出高さを異ならせるべく、棚部の高さを各収容空間毎に異ならせたこと特徴とする請求項１〜３のいずれかに記載のレンタルビデオ店におけるＤＶＤソフト展示用パッケージ。
【発明の詳細な説明】
【０００１】
【発明の属する技術分野】
本発明は、レンタルビデオ店においてレンタル用のＤＶＤソフトを陳列するための、確認しやすく設置安定性のあるＤＶＤソフト展示用パッケージに関するものである。
【０００２】
【従来の技術】
近年ではＤＶＤ（デジタルビデオデスク）ソフト及びその再生機器の急速な普及拡大に伴い、レンタルビデオ店においても貸出し用のビデオソフトとして、従来のビデオカセットテープのほかに、ＤＶＤソフトもレンタルするようになってきた。
【０００３】
このような状況の中で、現在のレンタルビデオ店では同一ソフトが収録されているＤＶＤとビデオカセットテープを別々のコーナーに設けた陳列棚に展示しており、これに対応して、利用者は、自己の所有する再生機器に応じて、同一コンテンツであっても該当する媒体のあるコーナーに行って検索を行うようにしている。
【０００４】
このレンタルシステムは、次のようになっている。
まず、ユーザは陳列されている展示用パッケージから気に入ったメディアソフトのみを抜取って受付に行き、受付では契約者カードを確認の上、料金を請求し、ユーザは請求金額を支払って所定の期日までそのソフトをレンタルする。そして、ユーザが期日までに同ソフトを受付に返却すると、店員がこのソフトを再び展示用パッケージに収容する作業を行う。
【０００５】
従って、人気ソフトは展示用パッケージが空になっている確率が高く、これに対して、ビデオ店側ではその人気度合に応じて同一ソフトを多数仕入れて陳列しておくなどの作業も行う。
【０００６】
ところで、以上のような商品陳列方法では、同一ソフトであってもＤＶＤとビデオカセットテープのそれぞれについて、個別に展示用パッケージを作成しなければならず、レンタル店にとっては、専用のパッケージ費用及びこれに張付けられる商品のソフト内容を表示するラベルの印刷費用、棚の設置スペースの増加や展示コーナの区画割りの手間、及び輸送費などにおいて経済的負担が大きかった。
【０００７】
なお、ビデオカセットテープは、表紙をユーザ側に向けて整列する陳列方法ではなく背表紙をユーザ側に向けて整列する陳列方法を採用した場合であっても、本体の厚み寸法が厚いため、背表紙に印刷表示されているソフト内容を一瞥しただけで読取りやすく、ユーザにとっては検索しやすい。
【０００８】
これに対し、ＤＶＤソフトの場合にはケースも薄く、背表紙をユーザ側に見えるように陳列する方法では、目的とする商品を探しにくく、その逆にケースの表紙側、つまりＤＶＤの盤面側をユーザ側に向けて陳列する方法では、陳列棚のスペースを大きくとる。
【０００９】
さらに、ＤＶＤ、ビデオカセットテープ双方の再生装置を所有しているユーザにとっては、希望するソフトのうちいずれか一方が貸出されているか、両方とも貸出されているかをそれぞれのコーナに行って探し当てなければならず、ユーザ側でも検索の負担が大きかった。
【００１０】
そこで、先に本出願人は、ＤＶＤソフトとＶＨＳビデオカセットテープの展示用パッケージを共通とし、同一陳列棚に展示できるようにしたものを開発した。このものは、奥行寸法をＤＶＤ寸法基準とし、縦寸法をＶＨＳ基準として、同一パッケージ内に収容し、これにより、コーナを分離せず、ＶＨＳ展示コーナのみでユーザがいずれかを選択できるようにした（特許文献１参照）。
【００１１】
ところが、ＤＶＤの人気は高くその後の普及は予想外に進展し、ＤＶＤソフト（以下単にＤＶＤと称する）のレンタル率が急速に高まりつつある。そこで、例えば図５に示すごとく、ユーザが見やすく検索しやすいものとして、ＶＨＳソフト（以下単にＶＨＳと称する）１の展示用パッケージ２とほぼ同一の縦寸法を有するようにＤＶＤ３の展示用パッケージ４を大きくし、ＶＨＳパッケージ２と同一陳列棚、あるいはＤＶＤレンタルコーナに背表紙側を向けて並列展示できるようにすることが考えられる。
【００１２】
【特許文献１】
特願２００２−１１１１８２
【００１３】
【発明が解決しようとする課題】
しかしながら、このＤＶＤパッケージ４は、見やすさを追求するが故に、通常使用されている樹脂成形体からなるＤＶＤ用オリジナルケースに比べてＤＶＤ３に対して縦寸法が大きい上に背表紙のタイトルを目立たせるために厚みも大きく、製作代金が高価なものとなる。
【００１４】
また、パッケージ４の前面板４ａの厚みが、並設されるＶＨＳパッケージ２に比べてまだ薄く、未だ、背表紙に印刷されているタイトルが見にくい上に、ＶＨＳパッケージ２に比べて設置安定性に乏しく、ＶＨＳ１を借出す際はパッケージ２よりＶＨＳ１を取出してレンタルするのに対し、パッケージ４ごとレンタルするため、レンタルによる隙間があくと、図５のごとく残存するパッケージ４が簡単に倒れ込みやすい。
【００１５】
また、ユーザにとっては、パッケージ４が不透明材料で構成されていると中身の有無がわからないため開けて確認したり、ＶＨＳレンタルシステムでの習慣上中身のみを抜出して受付に持っていってしまうなどの不具合も生じていた。
【００１６】
そこで本発明では、見やすく設置安定性があり、ＶＨＳレンタルシステムと全く同様のシステムで貸出しでき、またラベルシートなどをＶＨＳとＤＶＤとで互換性をもたらすようにしたレンタルビデオ店におけるＤＶＤソフト展示用パッケージを提供するものである。
【００１７】
【課題を解決するための手段】
前記目的を達成するため、請求項１に係る発明は、両側板、前面板及び背面板を備え、かつソフト内容が印刷されたラベルシートを表面に配した上部開口の箱形をなすＤＶＤソフト展示用パッケージであって、該パッケージの内部に複数の隔壁を設け、これにより区画される複数のＤＶＤケースの収容部を形成し、各収容部は、該収容部に収容されるＤＶＤケースの上部が前記パッケージの上面開口より突出すべく並列配置可能となっていることを特徴とするものである。本発明にあっては、自立安定性があり、しかもパッケージよりＤＶＤケースを抜取ってＶＨＳレンタルシステムと同様な手順でレンタルできる。
【００１８】
また、請求項２に係る発明は、前記隔壁が２つであり、３つの収容空間に仕切ることで、３枚のＤＶＤケースを並列して収容できるようにしたことを特徴とするものである。これにより、ＶＨＳ展示用パッケージと同一幅寸法となり、管理しやすく、また陳列上の美観も向上することができる。
【００１９】
さらに、請求項３に係る発明は、前記パッケージの高さ寸法をビデオカセットテープとほぼ同一高さとし、パッケージ内部に棚部を設けてＤＶＤケースの底部を支持したことを特徴とするものである。これにより、ＶＨＳ陳列棚と同一場所に展示でき、しかもラベルシートなどはＶＨＳ用パッケージと互換性をもたらすことができる。
【００２０】
さらにまた、請求項４に係る発明は、前記複数のＤＶＤケースのパッケージの上部開口からの突出高さを異ならせるべく、棚部の高さを各収容空間毎に異ならせたこと特徴とするものである。これにより、ユーザがＤＶＤケース手で掴んで取出す際に、掴みやすいものとなる。
【００２１】
【発明の実施の形態】
以下、本発明の好ましい実施の形態につき、添付図面を参照して詳細に説明する。なお、前記従来例と同一箇所には同一符号を付して説明する。
【００２２】
図１〜図３は本発明の第一実施形態を示すものである。図１において、本発明にかかるＤＶＤ３の展示用パッケージ１０は全体が合成樹脂成形体からなるもので、例えばＶＨＳ１用パッケージ２とほぼ同一縦寸法の上面開口した縦長箱状容器であって、両側板１２、前面板１４、背面板１６によりその箱形外形を構成している。
【００２３】
この開口内は、二つの隔壁１８により、３分割状態に仕切られてそれぞれの収容空間２０にＤＶＤ３を収容したケース２２を収容し、その上部をパッケージ１０の上部より覗かせた状態に展示できるようにしており、これによってパッケージ１０における前面板１４の幅寸法が約３倍となり、見やすく検索が容易であるとともに、自立安定性に富んだ展示用パッケージとなる。またこの幅寸法はＶＨＳ展示用パッケージ２とほぼ同じであるので取り扱いやすく、また陳列上の美観も向上することができる。
【００２４】
前記ＤＶＤケース２２は透明であって、ＤＶＤ３の有無を外方から確認できるとともに、ＤＶＤ３にはその盤面にタイトルなどが直接印刷されているため、ユーザにとってはわざわざ中身の有無を確認することなくケース２２ごと取出してレンタル手続ができるようになっている。なお、ケース２２の上端には目印などのラベル２２ａが付着されている。
【００２５】
前記パッケージ１０の内部構造は、例えば図２に示すごとく、その前面板１４が幅方向に２：１の割合でプラスチックヒンジ１４ａを介して折畳み展開可能となっており、かつ折畳み状態で一方の側板１２の後部に一体化された背面板１６の側端に突設された係止爪１６ａを他方の側板１２の後部に形成された係止孔１２ａに差込むことで図１のごとく製箱状態に保持される。
【００２６】
また、各隔壁１８の底部および一方の側板１２の内側には、収容状態で前記ケース２２の底部を支持する棚板部２４が一体成形されている。
【００２７】
さらに、前面板１４および両側板１２の外側は、可撓性があり、かつ透明なビニールなどからなるカバーシート２６で覆われている。カバーシート２６の両端縁は一方の側板１２の後端縁内側と、背面板１６に超音波または高周波ウエルダー容着２６ａにより接合されており、パッケージ１０をとじた状態ではカバーシート２６は緊張状態でパッケージ１の表面に密着し、また開いた状態ではその可撓性に応じて表面から離れるようになっている。
【００２８】
以上のパッケージ１０をソフト展示用とする場合には、図３に示すごとく、パッケージ１０の展開状態で商品展示用のラベルシート２８をカバーシート２４とパッケージ１０間に差込み、次いでパッケージ１０をとじることで、カバーシート２４がラベルシート２８に密着した状態に製箱され、商品展示用として完成する。
【００２９】
なお、ラベルシート２８は、表紙２８ａ、背表紙２８ｂ、裏表紙２８ｃとからなっており、一例として図示のごとく、表紙２８ａ及び背表紙２８ｂには該当するソフトのタイトルや、主人公キャラクタや物語の一場面、配給会社などが印刷され、また、裏表紙２８ｃにはソフト内容の簡単な解説文、その他が印刷される。  但し、そのデザイン、配置はソフト内容や配給会社に応じて実に多様であり、要は陳列状態で背表紙２８ｂに表示されている内容が利用者にとって目立ち、また利用者がパッケージ１０を手にとって前後表裏を見ることで、ソフト内容を十分に確認できるような魅力的デザイン、配置とすればよいことは言うまでもない。
【００３０】
その後、図１に示すごとく、パッケージ１０内の両収容空間２０に３つのＤＶＤケース２２が収容され、その上部をパッケージ１０から覗かせた状態で陳列展示され、ユーザは３つ配列されたＤＶＤケース２２の中のいずれかをパッケージ１０から取出し、このまま受付へ持っていけばよいものとなる。
【００３１】
なお、図示省略したが、同一ソフトを収容した前記ＶＨＳ展示用パッケージ４と並列展示させてもユーザにとってのタイトルの視認性に変りがなく、メディア媒体に応じていずれかを選択すればよいものとなり、しかもコーナ別に展示しなくともよいため、店内の省スペース化を図ることができる。
【００３２】
次に本発明の第二実施形態を図４を用いて説明する。同図（ａ）は前記第一実施形態における陳列状態を示すものであり、ケース２２は同一高さでパッケージ１０の上部より突出している。
【００３３】
これに対し、（ｂ）では中央のケース２２が大きく突出し、左右がこれより低い位置にある凸形配置となっており、（ｃ）では中央のケース２２が低い位置に突出し、左右がこれより高い凹形配置となっており、（ｄ）では端から順に突出高さが高くなる配置である。これら（ｂ）〜（ｄ）の配列は、（ｄ）に想像線で示すように、手での取り易さを考慮した配列であって、もっとも高く突出したケース２２から順に取出される。以上の高さ変更は前記棚板部２４の高さを各収容空間２０ごとに変えた配置によって実現できることは言うまでもない。
【００３４】
なお、以上の各実施形態では３枚のＤＶＤケース２２を収容できる幅のパッケージとした。これは、パッケージ１０の自立安定性、およびラベルシート２８などのＶＨＳ展示用パッケージとの互換性を考慮した幅であるが、同様にして４枚以上収容できるパッケージとすることもできる。
【００３５】
【発明の効果】
以上の説明により明らかなように、本発明によるレンタルビデオ店におけるＤＶＤソフトの展示用パッケージにあっては、単独のＤＶＤソフトを収容する展示用パッケージに比べて、設置安定性があり、ＶＨＳレンタルシステムと全く同様のシステムで貸出しできる。また、高さ寸法や、幅寸法をＶＨＳ展示用パッケージにあわせることで、同一陳列棚に配置でき、しかもラベルシートも互換性をもたらすことができる。
【図面の簡単な説明】
【図１】本発明の第一実施形態によるＤＶＤソフト展示用パッケージおよびこれに収容されるＤＶＤソフトとそのケースを示す斜視図である。
【図２】同パッケージの展開状態を示す斜視図である。
【図３】同パッケージに対するラベルシート装着状態を示す斜視図である。
【図４】（ａ）は第一実施形態における展示状態の正面視図、（ｂ）〜（ｄ）は第二実施形態における展示状態の正面視図である。
【図５】従来におけるＤＶＤ展示用パッケージの不具合を示す斜視図である。
【符号の説明】
３  ＤＶＤソフト
１０  展示用パッケージ
１２  側板
１４  前面板
１６  背面板
１８  隔壁
２０  収容空間（収容部）
２２  ＤＶＤケース
２４  棚板部
２８  ラベルシート
【図１】
2004161357.tif 000003
【図２】
2004161357.tif 000004
【図３】
2004161357.tif 000005
【図４】
2004161357.tif 000006
【図５】
2004161357.tif 000007